(57)【要約】【課題】電柱に取り付ける様々な種類の装置類を一括して簡便に取り付けることが出来るような、安価な器具を提供すること。【解決手段】電柱に取付ける装置用の取付架台であって、垂直方向に設置されて該架台の四隅を構成する柱状部材、架台取付用部材、架台取付用部材固定用部材、回り止め部材、及び、装置取付用部材を含み、該架台取付用部材固定用部材が二本の該柱状部材間に架設され該架台の左面及び右面の夫々の上端及び下端を構成し、左面及び右面の上端及び／又は下端を構成する２つの架台取付用部材固定用部材の間に２つの架台取付用部材が架設されて正面及び背面の上端及び／又は下端を構成し、更に、正面及び背面の上端及び／又は下端を構成する夫々２つの架台取付用部材の間に回り止め部材が固定されて成ることを特徴とする前記架台。【選択図】    図４
2010148332.tif 000002
【特許請求の範囲】
【請求項１】
電柱に装置を取付ける為の取付架台であって、垂直方向に設置されて該架台の四隅を構成する柱状部材、架台取付用部材、架台取付用部材固定用部材、回り止め部材、及び、装置取付用部材を含み、該架台取付用部材固定用部材が二本の該柱状部材間に架設され該架台の左面及び右面の夫々の上端及び下端を構成し、左面及び右面の上端及び／又は下端を構成する２つの架台取付用部材固定用部材の間に２つの架台取付用部材が架設されて正面及び背面の上端及び／又は下端を構成し、更に、正面及び背面の上端及び／又は下端を構成する夫々２つの架台取付用部材の間に回り止め部材が固定されて成ることを特徴とする前記架台。
【請求項２】
柱状部材、架台取付用部材、及び架台取付用部材固定用部材がアングル部材であって、左面及び右面の上端及び／又は下端を構成する２つの架台取付用部材固定用部材の上に架台取付用部材が螺設され、更に、夫々２つの架台取付用部材の間に２つの回り止め部材が螺設されることを特徴とする、請求項１記載の前記取付架台。
【請求項３】
装置取付用部材が２つの柱状部材に架設された平板状部材であり、正面、背面、左面、又は右面のいずれかを構成することを特徴とする、請求項１又は２記載の取付架台。
【請求項４】
アングル部材が山形鋼であり、平板状部材が平鋼であり、回り止め部材が鋼材であることを特徴とする、請求項１〜３のいずれか一項に記載の取付架台。
【請求項５】
全体の構造が電柱を囲む略四角柱状のやぐら状であることを特徴とする、請求項１〜４のいずれか一項に記載の取付架台。
【請求項６】
正面及び背面の上端及び／又は下端を構成する２つの架台取付用部材及び該部材に架設された２つの回り止め部材によって電柱の周囲を囲むことを特徴とする、請求項１〜５のいずれか一項に記載の取付架台。
【請求項７】
正面及び背面の上端及び／又は下端を構成する２つの架台取付用部材によって電柱を両側から挟むこむことにより電柱に固定されて成る、請求項１〜６のいずれか一項に記載の取付架台。
【請求項８】
架台取付用部材及び該部材の上に設けられた突起部によって電柱を両側から挟むこむことにより電柱に固定されて成る、請求項１〜７のいずれか一項に記載の取付架台。
【発明の詳細な説明】
【技術分野】
【０００１】
本発明は、電柱への増幅器（アンプ又はブースター）等の各種装置の取付けを補助し、このような取付けを容易成らしめる取付架台等に関する。
【背景技術】
【０００２】
従来、コンクリート柱（ＣＰ）等の電柱に増幅器（アンプ又はブースター）、携帯電話受信装置（中継装置）、受電ボックス、監視ボックス、ＵＰＳ（無停電電源装置）、及び、ＲＥＰ  ＡＭＰ（リピーターアンプ）等の各種装置類を取付ける場合には、通称、「自在バンド」と呼ばれる、金属製のバンド等の取付け金具を電柱に巻着ないし結着し、こうして電柱に固定されたバンド等に適当な取付部材を介して装置類を固定する方法が通常多く行われている。或いは、電柱に固定された「腕金装柱具」と呼ばれる部材を介して各種装置類を取り付ける方法も見られる（特許文献１）。
【０００３】
しかしながら、電柱に取付ける装置の用途、大きさ、及び形状、並びに、電柱の設置周辺の状況等に応じて、それら装置を取付ける高さ及び位置等が夫々異なるので、このような従来の方法では、各装置を一個一個取付ける必要があり、更に、その為の足場もその度に確保する必要もあり、取付作業に極めて多くの時間と手間がかる場合が多かった。更に、新たに装置を取り付ける場合に、既に固定されている他の装置を取り付ける為に使用されているバンドを避けて、新たな装置の為にバンドを固定する必要があるために、上下方向に多段に複数の装置を取り付けることも出来なかった。
【特許文献１】特開２２００８−２３６９８４号公報
【発明の開示】
【発明が解決しようとする課題】
【０００４】
本発明が解決しようとする課題は、以上の従来技術に見られる問題点を解決することである。特に、本発明の目的は、電柱に取り付ける様々な種類の装置類を一括して簡便に取り付けることが出来るような、安価な器具を提供することである。
【課題を解決するための手段】
【０００５】
即ち、本発明は以下の各態様を有するものである。
[態様１] 電柱に装置を取付ける為の取付架台であって、垂直方向に設置されて該架台の四隅を構成する柱状部材、架台取付用部材、架台取付用部材固定用部材、回り止め部材、及び、装置取付用部材を含み、該架台取付用部材固定用部材が二本の該柱状部材間に架設され該架台の左面及び右面の夫々の上端及び下端を構成し、左面及び右面の上端及び／又は下端を構成する２つの架台取付用部材固定用部材の間に２つの架台取付用部材が架設されて正面及び背面の上端及び／又は下端を構成し、更に、正面及び背面の上端及び／又は下端を構成する夫々２つの架台取付用部材の間に回り止め部材が固定されて成ることを特徴とする前記架台。
[態様２] 柱状部材、架台取付用部材、及び架台取付用部材固定用部材がアングル部材であって、左面及び右面の上端及び／又は下端を構成する２つの架台取付用部材固定用部材の上に架台取付用部材が螺設され、更に、夫々２つの架台取付用部材の間に２つの回り止め部材が螺設されることを特徴とする、態様１記載の前記取付架台。
[態様３]装置取付用部材が２つの柱状部材に架設された平板状部材であり、正面、背面、左面、又は右面のいずれかを構成することを特徴とする、態様１又は２記載の取付架台。
[態様４]アングル部材が山形鋼であり、平板状部材が平鋼であり、回り止め部材が鋼材であることを特徴とする、態様１〜３のいずれか一項に記載の取付架台。
[態様５]全体の構造が電柱を囲む略四角柱状のやぐら状であることを特徴とする、態様１〜４のいずれか一項に記載の取付架台。
[態様６]正面及び背面の上端及び／又は下端を構成する２つの架台取付用部材及び該部材に架設された２つの回り止め部材によって電柱の周囲を囲むことを特徴とする、態様１〜５のいずれか一項に記載の取付架台。
[態様７]正面及び背面の上端及び／又は下端を構成する２つの架台取付用部材によって電柱を両側から挟むこむことにより電柱に固定されて成る、態様１〜６のいずれか一項に記載の取付架台。
[態様８]架台取付用部材及び該部材の上に設けられた突起部によって電柱を両側から挟むこむことにより電柱に固定されて成る、態様１〜７のいずれか一項に記載の取付架台。
【発明の効果】
【０００６】
本発明の取付架台を使用することによって、作業が容易な高さで電柱に仮固定した本発明の取付架台に電柱に取り付ける様々な種類の装置類まとめて取り付け、その後、本発明の架台を電柱の適当な高さに固定することによって、様々な種類の装置類を電柱の同一の高さに一括して簡便・容易に設置することが可能となる。又、各装置間の位置関係が一定で予め決まるので、核装置間のケーブル等の配線を事前に作製・取り付けすることも可能となる。更に、取付架台への装置の取付け作業を地上で行うことが出来るので足場の確保が容易であり、施工効率も向上する。本発明の取付架台は、電柱のテーパ構造を利用して電柱に安定して固定されているので、ずり落ちることもなく安全性が高い。更に、取付架台自体が電柱の防護手段（フェンス）として機能する。
【発明を実施するための最良の形態】
【０００７】
以下、図面を参照しつつ、本発明を説明する。尚、本明細書中の参照番号は図面中の番号と一致する。
【０００８】
本発明の目的が達せられる限り、本発明の取付架台（１）における、柱状部材（２）、架台取付用部材（３）及び二本の該柱状部材間に架設され該架台の左面及び右面の夫々の上端及び／又は下端を構成する架台取付用部材固定用部材（４）の形状・材質・構造等に関して特に制限はないが、強度及び経済性等を考慮しアングル部材を使用することが好ましい。２つの架台取付用部材は左面及び右面の上端及び／又は下端を構成する２つの架台取付用部材固定用部材の間に当業者に公知の任意の手段で架設することができる。例えば、左面及び右面の上端及び／又は下端を構成する２つの架台取付用部材固定用部材の水平面上に夫々２つの孔を設け、その上に架台取付用部材をボルト・ナット等の適当な手段によって螺設することができる。
【０００９】
回り止め部材（５）は、それによって架台取付用部材を締めることによって架台取付用部材で電柱を挟み付ける為のものであり、ボルト・ナット等の当業者に公知の適当な手段によって該架台取付用部材に固定することができる。例えば、本発明の取付架台の上端及び／又は下端の夫々２つの架台取付用部材の間に２つの回り止め部材を螺設することが好ましい。
【００１０】
本発明の取付架台が電柱に安定して固定される限り、必ずしも、上端及び下端に夫々２つずつの架台取付用部材を設けて、取付架台の上下２箇所で電柱に固定する必要はない。従って、例えば、取付架台の上部だけで電柱に固定するような場合には、取付架台の下端部には、架台取付用部材、架台取付用部材固定用部材、及び、回り止め部材を備える必要はない。
しかしながら、強度及び安全性等を考慮して、通常は、取付架台の上下２箇所で電柱に固定することが好ましい。
【００１１】
架台取付用部材固定用部材に設けた螺孔を適当な長さ・幅を設けた長穴（７）とすることによって、２つの架台取付用部材の間の距離を自在に調節し、電柱を両側から挟むこむことが可能となる。
【００１２】
又、架台取付用部材の電柱と対峙する面の上には、適当な数・形状の突起部（８）を設けることが好ましい。２つの架台取付用部材で電柱を両側から挟むこんだ際に該突起部が電柱と接することにより、電柱と架台取付用部材との固定をより強固にすることが出来る。このような突起部は、例えば、鋼材である２つの丸棒を各架台取付用部材の面上に適当な間隔で溶接することによって形成することが出来る。突起部の間隔は、電柱の太さ等に応じて、例えば、１００ｍｍ程度とすることが出来る。
【００１３】
装置取付用部材（６）は、２つの柱状部材に架設された平板状部材であり、正面、背面、左面、又は右面のいずれかを構成する。該装置取付用部材の大きさ・構造・数及び取付け位置等は電柱に取付ける装置（９）の数、種類、大きさ・形状等に応じて適宜設定することが出来る。各装置類はネジ止め等の適当な手段によって装置取付用部材に固定され、各装置類は本発明の取付架台の正面、背面、左面、及び右面のいずれの面にも取付けることが出来る。
【００１４】
本発明の取付架台の各部材として使用するアングル部材としては山形鋼とも呼ばれる形鋼、平板状部材としては平鋼、及び、回り止め部材としては鋼材が好ましい。これらの各部材は、通常、溶融亜鉛メッキが施されている。又、各部材は、螺設（ネジ止め）以外には、溶接等の適当な手段で互いに接続・固定することが出来る。
【００１５】
本発明の取付架台の各部材の大きさにも特に制限はなく、電柱に取付ける装置の数、種類、大きさ・形状等に応じて適宜設定することが出来る。
例えば、該架台の四隅を構成する垂直方向の柱状部材は、通常、長さ７００〜１３００ｍｍ、一辺の長さは４０〜７５ｍｍである。アングル部材である架台取付用部材は、通常、長さ３００〜８００ｍｍ、一辺の長さ４５〜９０ｍｍである。アングル部材である架台取付用部材固定用部材は、通常、長さ３００〜８００ｍｍ、一辺の長さ４０〜７５ｍｍである。回り止め部材は、通常、長さ２００〜５００ｍｍ、太さ（直径）１０〜１６ｍｍである。更に、装置取付用部材は、通常、長さ３００〜８００ｍｍ、一辺の長さ２５〜７５ｍｍである。又、これら各部材の厚さは、通常、３〜１２ｍｍである。
【００１６】
本発明の取付架台の全体の構造は、電柱を囲む略四角柱状のやぐら状の組み立て構造とすることが好ましい。即ち、正面及び背面の上端及び／又は下端を構成する２つの架台取付用部材及び該部材に架設された２つの回り止め部材によって電柱の周囲を囲むことになる。以上の結果、本発明の取付架台の全体の重量を２０〜４５ｋｇ程度の軽量とすることが可能である。
【００１７】
より具体的には、本発明の取付架台の正面及び背面の上端及び／又は下端を構成する２つの架台取付用部材によって、夫々、電柱を両側から挟むこみ、該架台取付用部材に螺設された回り止め部材を締めることによって、最終的に架台取付用部材の中央部及び該部材の上に設けられた突起部等が電柱と接することによって電柱を締め付け、その結果、本発明の取付け架台が電柱に固定される。こうして一度固定された発明の取付架台は電柱のテーパ構造の為に電柱からずり落ちることがない。
【００１８】
本発明の取付架台は、例えば、以下の取り付け手順に従い、電柱に設置することが出来る。
（１）本発明の取付架台を地上に置き、背面の架台取付用部材を外して、電柱を抱き込むようにして、取付架台をセットする。次に、外した架台取付用部材を戻し、該架台取付用部材と回り止め部材で電柱を囲み、ガタがない程度に回り止め部材を軽く締める。
（２）取付架台を地上からずり上げて、装置類が取付け易い高さ・方向に調節し、再度、回り止め部材を締めて取付架台を電柱に仮固定する。
（３）各装置類を取付架台の所定の面に取り付け固定する。
（４）各装置類が固定された取付架台を玉掛け等の適当な手段によって所定の高さまで吊り上げて、回り止め部材を締めて最終的に取付架台を電柱に固定する。
【産業上の利用可能性】
【００１９】
本発明の取付架台は安価に製造することが出来る。これを使用することによって電柱へ装置類を、簡便、安全、容易に取付けることが可能となる。
【図面の簡単な説明】
【００２０】
【図１】本発明の取付架台の左面、正面、上面及び下面の主な構造を示す。
【図２】本発明の取付架台の右面及び裏面の主な構造を示す。
【図３】架台取付用部材の一例の正面、下面及び断面を示す。
【図４】装置類が取付けられた本発明の取付架台を電柱に固定した様子を示す。
【符号の説明】
【００２１】
１：取付架台
２：柱状部材
３：架台取付用部材
４：架台取付用部材固定用部材
５：回り止め部材
６：装置取付用部材
７：長穴
８：突起部
９：各種装置
１０：電柱
【図１】
2010148332.tif 000003
【図２】
2010148332.tif 000004
【図３】
2010148332.tif 000005
【図４】
2010148332.tif 000006